(57)【要約】【課題】セパレータの部品をコンクリート壁から取り外す際にできた穴を埋めるモルタルがコンクリート壁から脱落するのを防止することができる型枠用セパレータの提供。【解決手段】対向するコンクリート型枠パネルの間隔を保持するべく当該コンクリート型枠パネルを支持する型枠支持用セパレータであって、第１の雄ねじが両端部に形成され中途部がねじ機構により着脱可能に構成された軸体と、上記軸体の両端部に上記雄ねじより内側で遊嵌されたリング状板座金とを備える。【選択図】図１
2012162859.tif 000002
【特許請求の範囲】
【請求項１】
対向するコンクリート型枠の間隔を保持するべく当該コンクリート型枠パネルを支持する型枠支持用セパレータであって、
第１の雄ねじが両端部に形成され、中途部がねじ機構により着脱可能に構成された軸体と、
前記軸体の両端部に前記雄ねじより内側で遊嵌されたリング状板座金とを備えた、型枠支持用セパレータ。
【請求項２】
前記軸体は、外側端部に前記第１の雄ねじが形成された、第１の軸体および第２の軸体を含み、
前記ねじ機構は、前記第１の軸体および前記第２の軸体の各内側端部に形成された第２の雄ねじと、各前記第２の雄ねじと螺着して前記第１の軸体と前記第２の軸体を着脱可能に接合するナット機構とを含むことを特徴とする、請求項１に記載の型枠用セパレータ。
【請求項３】
前記ナット機構は、前記第１の軸体と螺着する第１のナットと、前記第２の軸体と螺着する第２のナットと、当該第１のナットと当該第２のナットを接合する第３の軸体とを有することを特徴とする、請求項２に記載の型枠用セパレータ。
【請求項４】
前記第３の軸体の両端部には第３の雄ねじが形成され、
前記第１のナットは、前記第３の軸体における一端側の前記第３の雄ねじと螺着され、
前記第２のナットは、前記第３の軸体における他端側の前記第３の雄ねじと螺着されることを特徴とする、請求項３に記載の型枠用セパレータ。
【請求項５】
前記第１のナットおよび前記第２のナットは、多角柱状であることを特徴とする、請求項３または４に記載の型枠支持用セパレータ。
【請求項６】
前記第１の軸体の前記リング状板座金より内側の部分に着脱可能に装着された第１の筒状カバー部材と、前記第２の軸体の前記リング状板座金より内側の部分に着脱可能に装着された第２の筒状カバー部材のうち、少なくともいずれか一方をさらに備えたことを特徴とする、請求項１乃至５いずれか１項に記載の型枠支持用セパレータ。
【請求項７】
請求項１乃至６いずれかに記載の型枠支持用セパレータを用いてコンクリート躯体を構築する方法であって、
前記型枠支持用セパレータを用いて建て込んだコンクリート型枠内にコンクリートを打設するコンクリート打設工程と、
前記コンクリートの硬化後に当該コンクリートから前記コンクリート型枠を取り外す型枠取り外し工程と、
前記コンクリートの表面から突出した各前記第１の雄ねじにねじ回しドリルを装着し、当該ねじ回しドリルを作動させて前記第１の軸体および前記第２の軸体を前記コンクリートから抜き取る軸体抜き取り工程と、を備えたコンクリート躯体の構築方法。
【請求項８】
請求項２乃至６いずれかに記載の型枠支持用セパレータを用いてコンクリート躯体を構築する方法であって、
前記型枠支持用セパレータを用いて建て込んだコンクリート型枠内にコンクリートを打設するコンクリート打設工程と、
前記コンクリートの硬化後に当該コンクリートから前記コンクリート型枠を取り外す型枠取り外し工程と、
前記コンクリートの表面から突出した各前記第１の雄ねじにねじ回しドリルを装着し、当該ねじ回しドリルを作動させて前記第１の軸体および前記第２の軸体を前記コンクリートから抜き取る軸体抜き取り工程とを備え、
前記軸体抜き取り工程において、前記ナット機構から前記第１の軸体および前記第２の軸体が抜き取られ、前記ナット機構は前記コンクリート内に存置されることを特徴とする、コンクリート躯体の構築方法。
【発明の詳細な説明】
【技術分野】
【０００１】
本発明は、型枠支持用セパレータに関し、より詳しくは、セパレータの部品をコンクリート壁から取り外す際にできた穴を埋めるモルタルがコンクリート壁から脱落するのを防止することができる型枠支持用セパレータおよびこのセパレータを用いたコンクリート躯体の構築方法に関する。
【背景技術】
【０００２】
建物のコンクリート壁等を施工する際には、コンクリートの打設予定位置に鉄筋を配し、その鉄筋の両側に型枠が対向して設置する。型枠設置の際、上記対向配置された型枠が一定間隔を開けて互いに平行となるように保持し、かつ、上記型枠内に打設されるコンクリートの側圧に対抗して上記型枠を支持するため、型枠用セパレータが上記対向配置された型枠の間に取り付けられる。
【０００３】
従来使用されていた型枠用セパレータ（以下、セパレータと称する）は、例えば図１５に示されるものであった。
図１５に示されるセパレータ１１０は、両端部に雄ねじ１０４が形成された軸体１００と、中心部に軸体１００を挿通する穴が形成され軸体１００に雄ねじ１０４よりも内側で遊嵌されたカップ型座金１０１とを備えている。軸体１００の両端部近傍には、カップ型座金１０１の移動を制限するリング状突起部１０２と、リング状突起部１０２よりも内側に形成された切断用括れ部１０３が設けられている。
【０００４】
図１５に示されるセパレータ１１０を用いたコンクリート壁の製造方法について簡単に説明する。
セパレータ１１０と、第１の雄ねじ４に螺着されるバタ材締付金具（図示せず）を用いて型枠（図示せず）を対向して建て込む。建て込みの際、カップ型座金１０１の大径側の開口端を型枠パネルに当接させる。次いで、建て込んだ型枠内にコンクリート１０５を打設する（図１６参照）。コンクリート１０５が硬化したら、バタ材締付金具および型枠を取り外す（図１６参照）。次いで、雄ねじ１０４を下向きにハンマー等で打って切断用括れ部１０３でセパレータ１１０を切断する。セパレータ１１０の切断により、カップ型座金１０１が取り外され、コンクリート１０５の表面にカップ型座金１０１の形に対応したカップ型凹部１０６が形成される（図１６参照）。次いで、カップ型凹部１０６にモルタル１０７を塗り込み、カップ型凹部１０６を埋める。モルタル１０７が硬化すれば、コンクリート壁が完成する（図１７参照）。以上が、従来のセパレータ１１０を用いたコンクリート壁の製造方法である。
【０００５】
従来のセパレータ１１０を用いたコンクリート壁の製造方法によれば、セパレータ１１０で型枠を所定間隔に保持して、所定厚さのコンクリート壁を製造することができる。
【０００６】
しかしながら、従来のセパレータ１１０を用いてコンクリート壁を製造した場合には、以下の課題が存在した。
すなわち、コンクリート壁の表面には、図１７に示されるカップ型のモルタル片１０７が形成される。このモルタル片１０７は、何年か経つと環境によってはカップ型凹部１０６から脱落することがあった。また、カップ型凹部１０６にモルタルを塗り込んでモルタル表面を綺麗に仕上げるには熟練を要するという課題もあった。また、コンクリート１０５の欠損部分が大きくなるため、コンクリート１０５の強度が低下し、コンクリート１０５にひび割れが生じる可能性があった。
【０００７】
なお、特許文献１には、上記したカップ型座金１０１を備えるセパレータ１１０を改良したセパレータについて開示されている。しかしながら、特許文献１に開示されているセパレータは、型枠へのセパレータの取り付け作業を容易にするための技術であり、モルタル片の脱落を防止する技術ではない。
【先行技術文献】
【特許文献】
【０００８】
【特許文献１】特開平９−３２２９０号公報
【発明の概要】
【発明が解決しようとする課題】
【０００９】
本発明は、このような実情に鑑みてなされたもので、セパレータの部品をコンクリート壁から取り外す際にできた穴を埋めるモルタルがコンクリート壁から脱落するのを防止することができる型枠支持用セパレータおよびこのセパレータを用いたコンクリート躯体の構築方法の提供を目的とする。
【課題を解決するための手段】
【００１０】
上記課題を解決するために、本発明は以下の手段を採用した。
第１の発明は、
対向するコンクリート型枠の間隔を保持するべく当該コンクリート型枠を支持する型枠支持用セパレータであって、
第１の雄ねじが両端部に形成され、中途部がねじ機構により着脱可能に構成された軸体と、
上記軸体の両端部に上記雄ねじより内側で遊嵌されたリング状板座金とを備えた、型枠支持用セパレータである。
【００１１】
第１の発明によれば、第１の雄ねじが両端部に形成され中途部がねじ機構により着脱可能に構成された軸体を備えている。よって、コンクリート硬化後に、コンクリート表面から突出した各第１の雄ねじにねじ回しドリルを装着し、当該ねじ回しドリルを作動させることにより、軸体をコンクリートから容易に抜き取ることができる。軸体の抜き取りにより、コンクリートには、リング状板座金に対応する形の凹部と、軸体に対応する形の細穴が形成される。この凹部は浅いものなので特にモルタルで埋める必要はない。また、細穴をモルタルで埋めるのは容易であり、かつ、細穴に埋められたモルタルは年数を経ても脱落しにくい。よって、セパレータの部品をコンクリート壁から取り外す際にできた穴を埋めるモルタルがコンクリート壁から脱落するのを防止することができる。しかも、上記凹部をモルタルで埋める作業が不要になるので、工期短縮を図ることができる。また、従来に比べてコンクリートの欠損部分が小さくて済むので、コンクリートのひび割れを防止することができる。
【００１２】
第２の発明は、第１の発明において、
上記軸体は、外側端部に上記第１の雄ねじが形成された、第１の軸体および第２の軸体を含み、
上記ねじ機構は、上記第１の軸体および上記第２の軸体の各内側端部に形成された第２の雄ねじと、各上記第２の雄ねじと螺着して上記第１の軸体と上記第２の軸体を着脱可能に接合するナット機構とを含むことを特徴とする。
【００１３】
第２の発明によれば、ねじ機構が第１の軸体、第２の軸体、およびナット機構を含んでいる。コンクリートの硬化後、ねじ回しドリルを作動させて第１の軸体と第２の軸体を抜き取り、ナット機構をコンクリート内に存置させることができる。よって、コンクリート躯体の構築後に、必要に応じて、雄ねじを有する種々の部材をナット機構の雌ねじに螺着させ、当該部材をコンクリート躯体に取り付けることができる。
【００１４】
第３の発明は、第２の発明において、
上記ナット機構は、上記第１の軸体と螺着する第１のナットと、上記第２の軸体と螺着する第２のナットと、当該第１のナットと当該第２のナットを接合する第３の軸体とを有することを特徴とする。
【００１５】
第３の発明によれば、ナット機構は、第１のナットと第２のナットが第３の軸体で接合された構造である。よって、コンクリート躯体（壁体）の厚みが大きい場合であっても、各ナットの位置を壁面から近い位置に設定することができる。よって、第１の軸体および第２の軸体の長さをそれぞれ短く設定することができる。これにより、第１の軸体および第２の軸体の周面にコンクリートが付着する面積を小さくすることができ、ねじ回しドリルによる各軸体の抜き取り作業を容易に行うことができる。
【００１６】
第４の発明は、第３の発明において、
上記第３の軸体の両端部には第３の雄ねじが形成され、
上記第１のナットは、上記第３の軸体における一端側の上記第３の雄ねじと螺着され、
上記第２のナットは、上記第３の軸体における他端側の上記第３の雄ねじと螺着されることを特徴とする。
【００１７】
第４の発明によれば、第１のナットと第２のナットを容易に接合することができる。よって、型枠支持用セパレータの製造を容易に行うことができる。
【００１８】
第５の発明は、第３または第４の発明において、
上記第１のナットおよび上記第２のナットは、多角柱状であることを特徴とする。
【００１９】
第５の発明によれば、第１のナットおよび第２のナットは多角柱状なので、各ナットがコンクリート内にしっかりと固定される。よって、ねじ回しドリルを作動させて各軸体をコンクリートから抜き取る際に、ナットが回転してしまうことがなく、各軸体を確実に抜き取ることができる。
【００２０】
第６の発明は、第１乃至第５いずれかの発明において、
上記第１の軸体の上記リング状板座金より内側の部分に着脱可能に装着された第１の筒状カバー部材と、上記第２の軸体の上記リング状板座金より内側の部分に着脱可能に装着された第２の筒状カバー部材のうち、少なくともいずれか一方をさらに備えたことを特徴とする。
【００２１】
第６の発明によれば、各軸体の所定位置に筒状カバー部材が着脱可能に装着されている。よって、各軸体の表面にコンクリートが付着するのを防止することができ、各軸体をコンクリートから容易に抜き取ることができる。
【００２２】
第７の発明は、
第１乃至第６の発明のいずれかに係る型枠支持用セパレータを用いてコンクリート躯体を構築する方法であって、
上記型枠支持用セパレータを用いて建て込んだコンクリート型枠内にコンクリートを打設するコンクリート打設工程と、
上記コンクリートの硬化後に当該コンクリートから上記コンクリート型枠を取り外す型枠取り外し工程と、
上記コンクリートの表面から突出した各上記第１の雄ねじにねじ回しドリルを装着し、当該ねじ回しドリルを作動させて上記第１の軸体および上記第２の軸体を上記コンクリートから抜き取る軸体抜き取り工程と、を備えたコンクリート躯体の構築方法である。
【００２３】
第７の発明によれば、コンクリート硬化後に、コンクリート表面から突出した各第１の雄ねじにねじ回しドリルを装着し、当該ねじ回しドリルを作動させることにより、軸体をコンクリートから容易に抜き取ることができる。軸体の抜き取りにより、コンクリートには、リング状板座金に対応する形の凹部と、軸体に対応する形の細穴が形成される。この凹部は浅いものなので特にモルタルで埋める必要はない。また、細穴をモルタルで埋めるのは容易であり、かつ、細穴に埋められたモルタルは年数を経ても脱落しにくい。よって、セパレータの部品をコンクリート壁から取り外す際にできた穴を埋めるモルタルがコンクリート壁から脱落するのを防止することができる。しかも、コンクリート躯体の構築後に上記凹部をモルタルで埋める作業が不要になるので、工期短縮を図ることができる。また、従来に比べてコンクリートの欠損部分が小さくて済むので、コンクリートのひび割れを防止することができる。
【００２４】
第８の発明は、
第２乃至第６の発明のいずれかに係る型枠支持用セパレータを用いてコンクリート躯体を構築する方法であって、
上記型枠支持用セパレータを用いて建て込んだコンクリート型枠内にコンクリートを打設するコンクリート打設工程と、
上記コンクリートの硬化後に当該コンクリートから上記コンクリート型枠を取り外す型枠取り外し工程と、
上記コンクリートの表面から突出した各上記第１の雄ねじにねじ回しドリルを装着し、当該ねじ回しドリルを作動させて上記第１の軸体および上記第２の軸体を上記コンクリートから抜き取る軸体抜き取り工程とを備え、
上記軸体抜き取り工程において、上記ナット機構から上記第１の軸体および上記第２の軸体が抜き取られ、上記ナット機構は上記コンクリート内に存置されることを特徴とする、コンクリート躯体の構築方法である。
【００２５】
第８の発明によれば、第７の発明の効果に加えて、以下の効果を奏する。第８の発明では、ねじ機構が第１の軸体、第２の軸体、およびナット機構を含んでいる。よって、コンクリートの硬化後、ねじ回しドリルを作動させて第１の軸体と第２の軸体を抜き取り、ナット機構をコンクリート内に存置させることができる。これにより、コンクリート躯体の構築後に、必要に応じて、雄ねじを有する種々の部材をナット機構の雌ねじに螺着させ、当該部材をコンクリート躯体に取り付けることができる。
【発明の効果】
【００２６】
本発明によれば、セパレータの部品をコンクリート壁から取り外す際にできた穴を埋めるモルタルがコンクリート壁から脱落するのを防止することができる。
【図面の簡単な説明】
【００２７】
【図１】本発明の第１実施形態に係る型枠支持用セパレータを示す図であり、（ａ）はその正面図、（ｂ）は（ａ）の破線で囲まれた領域の軸方向断面図、（ｃ）は（ａ）のＡ−Ａ線断面図
【図２】図１に示される型枠支持用セパレータの分解図
【図３】図１に示される型枠支持用セパレータを用いたコンクリート躯体構築方法の一工程を示す断面図
【図４】図１に示される型枠支持用セパレータを用いたコンクリート躯体構築方法の一工程を示す断面図
【図５】図１に示される型枠支持用セパレータを用いたコンクリート躯体構築方法の一工程を示す断面図
【図６】図１に示される型枠支持用セパレータを用いたコンクリート躯体構築方法の一工程を示す断面図
【図７】図１に示される型枠支持用セパレータを用いたコンクリート躯体構築方法の一工程を示す断面図
【図８】図１に示される型枠支持用セパレータを用いたコンクリート躯体構築方法の一工程を示す断面図
【図９】図１に示される型枠支持用セパレータを用いたコンクリート躯体構築方法の一工程を示す断面図
【図１０】図１に示される型枠支持用セパレータを用いたコンクリート躯体構築方法の一工程を示す断面図
【図１１】図１に示される型枠支持用セパレータを用いたコンクリート躯体構築方法の一工程を示す断面図
【図１２】図１に示される型枠支持用セパレータを用いてコンクリート躯体を構築した後に細穴をモルタルで埋める様子を示す断面図
【図１３】本発明の第２実施形態に係る型枠支持用セパレータを示す図
【図１４】本発明の第３実施形態に係る型枠支持用セパレータを示す図
【図１５】従来の型枠支持用セパレータを示す図
【図１６】従来の型枠支持用セパレータを用いたコンクリート躯体構築方法の一工程を示す断面図
【図１７】従来の型枠支持用セパレータを用いてコンクリート躯体を構築した後に、凹部をモルタルで埋める様子を示す断面図
【発明を実施するための形態】
【００２８】
（第１実施形態）
以下、本発明の第１実施形態に係る型枠支持用セパレータについて、図面を参照しつつ説明する。
図１は、第１実施形態に係る型枠支持用セパレータを示す図であり、（ａ）はその正面図、（ｂ）は（ａ）の破線で囲まれた領域の軸方向断面図、（ｃ）は（ａ）のＡ−Ａ線断面図である。図２は、図１に示される型枠支持用セパレータの分解図である。図３〜図１２は、図１に示される型枠支持用セパレータを用いたコンクリート躯体構築方法の各工程を順に示す断面図である。
【００２９】
なお、以下の説明において、「内側」とは、型枠支持用セパレータの軸方向中心に近い側を指し、「外側」とは、型枠支持用セパレータの軸方向中心から遠い側を指す。
【００３０】
第１実施形態に係る型枠支持用セパレータ（以下、セパレータと称する）１は、対向するコンクリート型枠の間隔を保持するべく当該コンクリート型枠を支持する型枠支持用セパレータである。
【００３１】
図１に示されるように、セパレータ１は、主要な構成として、軸体２と、リング状板座金３とを備える。
【００３２】
軸体２は、第１の雄ねじ４が両端部に形成され、中途部がねじ機構５により着脱可能に構成されている。
【００３３】
軸体２は、外側端部に第１の雄ねじ４が形成された、第１の軸体２１および第２の軸体２２を含む。なお、「軸体２」は、第１の軸体２１と第２の軸体２２がねじ機構５によりねじ接合された状態の軸全体を指す。第１の軸体２１および第２の軸体２２の各内側端部には、第２の雄ねじ６が形成されている（図２参照）。第１の軸体２１および第２の軸体２２には、リング状板座金３の移動を所定範囲内に制限するストッパー部１０が形成されている。ストッパー部１０は、第１の軸体２１および第２の軸体２２の周方向に沿って鍔状に形成された突起である。コンクリート型枠の建て込み時には、コンクリート型枠１１の型枠パネル１２に形成されたセパレータ挿通穴１４に内側から第１の雄ねじ４が挿通され、リング状板座金３の外側面がコンクリート型枠１１の内側面（コンクリート１２０が打設される側の面）に当接するとともに、ストッパー部１０にリング状板座金３の内側面が当接する（図４参照）。なお、第１の雄ねじ４も、リング状板座金３の脱落を防止するストッパーの役割を果たしている。第１の雄ねじ４の内側端とストッパー部１０の間隔Ｄ１は、コンクリート型枠１１の型枠パネル１２の厚み程度に設定されている。なお、第１の雄ねじ４には、ねじ回しドリルを装着しやすいように、雄ねじ４の周面の一部に互いに平行な平面部（図示せず）を形成しておくことが好ましい。
【００３４】
ストッパー部１０と後述する第２の雄ねじ６の基端の間隔Ｄ２は、コンクリート１２０の硬化後にそのコンクリート１２０の付着力に抗してねじ回しドリルで第１の軸体２１および第２の軸体２２を回し、コンクリート１２０から第１の軸体２１および第２の軸体２２を抜き取ることができる程度の長さに設定されている。その長さＤ２は、例えば、０〜１０ｃｍの範囲内に設定される。
【００３５】
長さＤ２に対応する部分の直径ｄ１と、第２の雄ねじ６の外径ｄ２の関係は特に限定されないが、例えば、外径ｄ２は直径ｄ１以下に設定される。外径ｄ２を直径ｄ１以下に設定することにより、コンクリート１２０から第１の軸体２１および第２の軸体２２を抜き取る際に、第２の雄ねじ６がコンクリート１２０に引っ掛かりにくくなり、第１の軸体２１および第２の軸体２２を容易に抜き取ることができる。
【００３６】
ねじ機構５は、第１の軸体２１および第２の軸体２２の各内側端部に形成された第２の雄ねじ６と、各第２の雄ねじ６と螺着して第１の軸体２１と第２の軸体２２を着脱可能に接合するナット機構７とを含む。
【００３７】
ナット機構７は、第１の軸体２１と螺着する第１のナット７１と、第２の軸体２１と螺着する第２のナット７２と、当該第１のナット７１と当該第２のナット７２を接合する第３の軸体８とを有する。
【００３８】
第３の軸体８の両端部には第３の雄ねじ９が形成されている。
第１のナット７１は、第３の軸体８における一端側の第３の雄ねじ９と螺着される。第２のナット７２は、第３の軸体８における他端側の第３の雄ねじ９と螺着される。第１のナット７１および第２のナット７２は、多角柱状である。
【００３９】
リング状板座金３は、軸体２の両端部に雄ねじ４より内側で遊嵌されている。リング状板座金３の形状は特に限定されるものではないが、例えば円板状とすることができる。リング状板座金３の厚みも特に限定されないが、例えば、０．１〜２．０ｍｍとすることができる。リング状板座金３は薄いので、リング状板座金３に対応した形の凹部１７（図１１参照）がコンクリート表面に形成された際、その凹部１７をモルタルで埋める必要がない。
【００４０】
本実施形態に係るセパレータ１によれば、第１の雄ねじ４が両端部に形成され中途部がねじ機構５により着脱可能に構成された軸体２を備えている。よって、コンクリート硬化後に、コンクリート表面から突出した各第１の雄ねじ４にねじ回しドリルを装着し、当該ねじ回しドリルを作動させることにより、軸体２をコンクリート１２０から容易に抜き取ることができる。コンクリート１２０には、リング状板座金３に対応する形の凹部１７と、軸体２に対応する形の細穴１８（図１１参照）が形成される。この凹部１７は浅いものなので特にモルタルで埋める必要はない。また、細穴１８をモルタル１９で埋めるのは容易であり、かつ、細穴１８に埋められたモルタル１９は年数を経ても脱落しにくい。よって、セパレータ１の部品をコンクリート壁から取り外す際にできた穴１８を埋めるモルタル１９がコンクリート壁から脱落するのを防止することができる。しかも、上記凹部１７をモルタルで埋める作業が不要になるので、工期短縮を図ることができる。また、従来に比べてコンクリート１２０の欠損部分が小さくて済むので、コンクリート１２０のひび割れを防止することができる。
【００４１】
また、本実施形態に係るセパレータ１によれば、ねじ機構５が第１の軸体２１、第２の軸体２２、およびナット機構７を含んでいる。コンクリート１２０の硬化後、ねじ回しドリルを作動させて第１の軸体２１と第２の軸体２２を抜き取り、ナット機構７をコンクリート１２０内に存置させることができる（図１１参照）。よって、コンクリート躯体の構築後に、必要に応じて、雄ねじを有する種々の部材（図示せず）をナット機構７の雌ねじに螺着させ、当該部材をコンクリート躯体に取り付けることができる。
【００４２】
また、本実施形態に係るセパレータ１によれば、ナット機構７は、第１のナット７１と第２のナット７２が第３の軸体８で接合された構造である。よって、コンクリート躯体（壁体）の厚みが大きい場合であっても、各ナット７１，７２の位置を壁面から近い位置に設定することができる。よって、第１の軸体２１および第２の軸体２２の長さをそれぞれ短く設定することができる。これにより、第１の軸体２１および第２の軸体２２の周面にコンクリート１２０が付着する面積を小さくすることができ、ねじ回しドリルによる各軸体２１，２２の抜き取り作業を容易に行うことができる。
【００４３】
また、本実施形態に係るセパレータ１によれば、第３の軸体８の両端部には第３の雄ねじ９が形成され、第１のナット７１は第３の軸体８における一端側の第３の雄ねじ９と螺着され、第２のナット７２は第３の軸体８における他端側の第３の雄ねじ９と螺着される。よって、第１のナット７１と第２のナット７２を容易に接合することができ、型枠支持用セパレータ１の製造を容易に行うことができる。
【００４４】
また、本実施形態に係るセパレータ１によれば、第１のナット７１および第２のナット７２は多角柱状なので、各ナット７１，７２がコンクリート内にしっかりと固定される。よって、ねじ回しドリルを作動させて各軸体２１，２２をコンクリートから抜き取る際に、ナット７１，７２が回転してしまうことがなく、各軸体２１，２２を確実に抜き取ることができる。
【００４５】
次に、本発明に係るセパレータを用いたコンクリート躯体構築方法について、図面を参照しつつ説明する。ここでは、図１に示されるセパレータ１を用いた場合について説明する。
【００４６】
このコンクリート躯体構築方法は、主要な工程として、図８に示されるようにセパレータ１を用いて建て込んだコンクリート型枠１１内にコンクリート１２０を打設するコンクリート打設工程と、コンクリート１２０の硬化後に当該コンクリート１２０からコンクリート型枠１１を取り外す型枠取り外し工程（図１０参照）と、コンクリート１２０の表面から突出した各第１の雄ねじ４にねじ回しドリル（図示せず）を装着し、当該ねじ回しドリルを作動させて第１の軸体２１および第２の軸体２２をコンクリート１２０から抜き取る軸体抜き取り工程（図１１参照）とを備えている。
【００４７】
軸体抜き取り工程において、ナット機構７から第１の軸体２１および第２の軸体２２が抜き取られ、ナット機構７はコンクリート１２０内に存置される。
【００４８】
以下、このコンクリート躯体構築方法について、より詳しく説明する。
まず、図３に示されるように、コンクリートの打設予定位置に鉄筋（図示せず）を配し、この鉄筋の一方側に沿ってコンクリート型枠１１を立設する。コンクリート型枠１１は、堰板である型枠パネル１２と、型枠パネル１２を背面側から補強する桟木１３とで構成されている。コンクリート型枠１１の立設後、型枠パネル１２の所要位置に、セパレータ１の第１の雄ねじ４を挿通するためのセパレータ挿通穴１４を形成する（ステップＳ１）。
【００４９】
次いで、図４に示されるように、セパレータ挿通穴１４に内側から第１の雄ねじ４を挿通し、リング状板座金３の外側面をコンクリート型枠１１の内側面（コンクリートが打設される側の面）に当接させるとともに、ストッパー部１０にリング状板座金３の内側面を当接させる（ステップＳ２）。
【００５０】
次いで、図５に示されるように、第１の雄ねじ４にバタ材締付金具１５の雌ねじを螺着させ、バタ材１６をコンクリート型枠１１の外側に固定するとともに、当該コンクリート型枠１１にセパレータ１を固定する（ステップＳ３）。
【００５１】
次いで、鉄筋の他方側に沿ってコンクリート型枠１１を立設する準備をする。図６に示されるように、型枠パネル１２の所要位置に、セパレータ１の第１の雄ねじ４を挿通するためのセパレータ挿通穴１４を形成する。そのセパレータ挿通穴１４に内側から第１の雄ねじ４を挿通し、リング状板座金３の外側面をコンクリート型枠１１の内側面（コンクリートが打設される側の面）に当接させるとともに、ストッパー部１０にリング状板座金３の内側面を当接させて、コンクリート型枠１１を、先に立設したコンクリート型枠１１に対向して立設する（ステップＳ４）。
【００５２】
次いで、図７に示されるように、第１の雄ねじ４にバタ材締付金具１５の雌ねじを螺着させ、バタ材１６をコンクリート型枠１１の外側に固定するとともに、当該コンクリート型枠１１にセパレータ１を固定する（ステップＳ５）。
【００５３】
次いで、図８に示されるように、対向配置状態に建て込まれたコンクリート型枠１１，１１の内側にコンクリート１２０を打設し、コンクリート１２０を硬化させる（ステップＳ６）。
【００５４】
次いで、図９に示されるように、セパレータ１の両端部からバタ材締付金具１５およびバタ材１６を取り外す（ステップＳ７）。
【００５５】
次いで、図１０に示されるように、硬化したコンクリート１２０からコンクリート型枠１１を取り外す（ステップＳ８）。
【００５６】
次いで、図１１に示されるように、コンクリート１２０の表面から突出した各第１の雄ねじ４にねじ回しドリル（図示せず）を装着し、当該ねじ回しドリルを作動させて第１の軸体２１および第２の軸体２２をコンクリート１２０から抜き取る（ステップＳ９）。第１の軸体２１および第２の軸体２２を抜き取ることにより、コンクリート１２０には、リング状板座金３に対応する形の凹部１７と、第１の軸体２１および第２の軸体２２のストッパー部１０から第２の雄ねじ６の基端までの部分（図２に示す間隔Ｄ２に対応する部分）に対応する形の細穴１８が形成される。
以上の各工程を経て、コンクリート躯体が構築される。
【００５７】
次に、セパレータ１の第１の軸体２１および第２の軸体２２をコンクリート１２０（コンクリート壁）から取り外す際にできた細穴１８をモルタルで埋める作業について説明する。
【００５８】
この作業においては、図１２に示されるように、例えば、細穴１８にモルタル１９を埋め込み、モルタル１９の表面が凹部１７の底面と面一となるようにする。モルタル１９は、細穴１８内で硬化する。硬化したモルタル１９は細穴１８に埋め込まれているので、長い年数が経過してもコンクリート１２０から脱落しにくい。また、細穴１８をモルタルで埋めるのは容易であり、高度な技量を必要としない。
【００５９】
なお、凹部１７は浅いものなので特にモルタルで埋める必要はない。よって、工期短縮を図ることができる。
【００６０】
なお、本発明に係るセパレータの構造は、上記した構造に限定されるものではなく、例えば、以下に示されるように変更することも可能である。
【００６１】
（第２実施形態）
図１３は、第２実施形態に係るセパレータ２０を示す図である。第１の実施形態と同様の構成については、同じ参照符号を付してその説明を省略する。
【００６２】
図１に示されるセパレータ１は、２個のナット７１，７２を備えていたが、図１３に示されるセパレータ２０は、１個のナット７３を備えており、図１に示される第３の軸体８を備えておらず、その他の構成は第１実施形態と同様である。ナット７３は、第１の軸体２１および第２の軸体２２と直接、ねじ接合している。このセパレータ２０は、例えば、比較的薄い厚みのコンクリート壁を構築する際に使用することができる。
【００６３】
（第３実施形態）
図１４は、第３実施形態に係るセパレータ３０を示す図である。第１の実施形態と同様の構成については、同じ参照符号を付してその説明を省略する。
【００６４】
図１４に示されるセパレータ３０は、第１の軸体２１のリング状板座金３より内側の部分に着脱可能に装着された第１の筒状カバー部材３１と、第２の軸体２２のリング状板座金３より内側の部分に着脱可能に装着された第２の筒状カバー部材３２のうち、少なくともいずれか一方をさらに備えている。図１４に示される例では、第１の筒状カバー部材３１と第２の筒状カバー部材３２の双方が設けられている。
【００６５】
第１の筒状カバー部材３１、第２の筒状カバー部材３２の材質は、特に限定されるものではないが、例えば、可撓性を有する合成樹脂で構成することができる。第１の軸体２１、第２の軸体２２に装着する前における第１の筒状カバー部材３１、第２の筒状カバー部材３２の内径は、例えば、第１の雄ねじ４、ストッパー部１０のそれぞれの外形よりやや小さく設定することができる。第１の筒状カバー部材３１、第２の筒状カバー部材３２の可撓性は、例えば、第１の軸体２１、第２の軸体２２へ装着する際には作業者が装着できる程度に変形し、かつ、コンクリートを打設した際のコンクリートの圧力ではほとんど変形しない程度の可撓性に設定することができる。
【００６６】
このセパレータ３０は、各軸体２１，２２の所定位置に筒状カバー部材３１，３２が着脱可能に装着されている。よって、各軸体２１，２２の表面にコンクリートが付着するのを防止することができ、各軸体２１，２２をコンクリートからさらに容易に抜き取ることができる。第１の筒状カバー部材３１、第２の筒状カバー部材３２は、通常、コンクリート内に存置される。
【産業上の利用可能性】
【００６７】
本発明は、セパレータの部品をコンクリート壁から取り外す際にできた穴を埋めるモルタルがコンクリート壁から脱落するのを防止することができる型枠支持用セパレータおよびこのセパレータを用いたコンクリート躯体の構築方法等に利用可能である。
【符号の説明】
【００６８】
１、２０、３０    型枠支持用セパレータ
２    軸体
２１    第１の軸体
２２    第２の軸体
３    リング状板座金
４    第１の雄ねじ
５    ねじ機構
６    第２の雄ねじ
７    ナット機構
７１    第１のナット
７２    第２のナット
８    第３の軸体
９    第３の雄ねじ
１０    ストッパー部
１１    コンクリート型枠
１２    コンクリート
１３    桟木
１４    セパレータ挿通穴
１５    バタ材締付金具
１６    バタ材
１７    凹部
１８    細穴
１９    モルタル
３１    第１の筒状カバー部材
３２    第２の筒状カバー部材
【図１】
2012162859.tif 000003
【図２】
2012162859.tif 000004
【図３】
2012162859.tif 000005
【図４】
2012162859.tif 000006
【図５】
2012162859.tif 000007
【図６】
2012162859.tif 000008
【図７】
2012162859.tif 000009
【図８】
2012162859.tif 000010
【図９】
2012162859.tif 000011
【図１０】
2012162859.tif 000012
【図１１】
2012162859.tif 000013
【図１２】
2012162859.tif 000014
【図１３】
2012162859.tif 000015
【図１４】
2012162859.tif 000016
【図１５】
2012162859.tif 000017
【図１６】
2012162859.tif 000018
【図１７】
2012162859.tif 000019